(57)【要約】【課題】  防塵ネットをネット保持部材に対して取付け、取外しするときの作業性を高める。【解決手段】  ネット保持部材１６は、冷却風が流通する開口部１７Ｅが形成され防塵ネット２５が当接するネット当接板１７と、ネット当接板１７を挟んで対面し防塵ネット２５が収容されるネット収容空間２１を形成する一対の前側面板１８および後側面板１９とを有し、前側面板１８には、ネット保持部材１６によって防塵ネット２５を保持するときに防塵ネット２５をネット収容空間２１に案内するガイド部材２２と、ばね部材２４とが設けられ、後側面板１９と防塵ネット２５には、防塵ネット２５をネット当接板１７に押付けて開口部１７Ｅを覆った位置に固定するネット固定部材３０が設けられている。前側面板１８に設けられたばね部材２４の復元力（弾性力）は、防塵ネット２５を後側面板１９に押付ける方向にのみ作用する。【選択図】        図９
2020147908.tif 000002
【特許請求の範囲】
【請求項１】
自走可能な本体と、前記本体の前側に設けられた作業装置とからなり、
前記本体は、原動機を含む搭載機器を覆う建屋カバーと、前記建屋カバー内に冷却風を供給する冷却ファンと、前記建屋カバー内に設けられた熱交換装置と、前記冷却風の流れ方向に対して前記熱交換装置の上流側に設けられたネット保持部材と、前記ネット保持部材に保持され前記冷却風に混入した塵挨を捕捉する防塵ネットとを備えてなる建設機械において、
前記ネット保持部材は、前記冷却風が流通する開口部が形成され前記防塵ネットが当接するネット当接板と、前記ネット当接板を挟んで対面し前記防塵ネットが収容されるネット収容空間を形成する一対の側面板とを有し、
前記一対の側面板の一方の側面板には、前記ネット保持部材によって前記防塵ネットを保持するときに前記防塵ネットを前記ネット収容空間に案内するガイド部材と、
前記ネット収容空間に収容された前記防塵ネットを前記一対の側面板の他方の側面板に向けて押圧するばね部材とが設けられ、
前記他方の側面板と前記防塵ネットには、前記防塵ネットを前記ネット当接板に押付けて前記開口部を覆った位置に固定するネット固定部材が設けられていることを特徴とする建設機械。
【請求項２】
前記防塵ネットは、前記ネット保持部材によって保持されるネット枠体と、前記ネット枠体に取付けられたフィルタとを含んで構成され、
前記ネット枠体には、前記防塵ネットを前記ネット収容空間に挿入するときに前記ガイド部材に係合する係合突起が設けられていることを特徴とする請求項１に記載の建設機械。
【請求項３】
前記係合突起は、前記ネット枠体のうち前記ばね部材によって押圧される被押圧面に設けられ、前記被押圧面と前記一方の側面板との間に形成された隙間に張出すことにより前記ネット当接板の前記開口部と前記被押圧面との間をシールする板体として形成されていることを特徴とする請求項２に記載の建設機械。
【請求項４】
前記ネット固定部材は、前記防塵ネットに設けられた鉤部材と、
前記他方の側面板に設けられ、前記鉤部材に掛止めされることにより前記防塵ネットを前記ネット保持部材に固定する掛止め具、および前記掛止め具を前記鉤部材に対して係合、離脱させる操作具を有する掛止め部材とにより構成されていることを特徴とする請求項１に記載の建設機械。
【請求項５】
前記防塵ネットには、前記防塵ネットを前記ネット保持部材に対して着脱するときに把持される把手が設けられ、
前記ネット固定部材の前記鉤部材は、前記把手に設けられていることを特徴とする請求項４に記載の建設機械。
【請求項６】
前記把手は、前記防塵ネットに取付けられ前記防塵ネットの外部に突出した取付部と、前記取付部に接続された把持部とを有し、
前記把手の前記取付部は、前記防塵ネットが前記ネット保持部材の前記ネット収容空間に収容されたときに前記他方の側面板の端縁部に当接する構成としたことを特徴とする請求項５に記載の建設機械。
【請求項７】
前記ネット枠体は、前記防塵ネットが前記ネット保持部材に保持された状態で前記一方の側面板に対面する一側枠および前記他方の側面板に対面する他側枠を有し、
前記他側枠の前記ネット当接板側には、前記一側枠に向かって傾斜した面取り部が形成されていることを特徴とする請求項２に記載の建設機械。
【請求項８】
自走可能な本体と、前記本体の前側に設けられた作業装置とからなり、
前記本体は、原動機を含む搭載機器を覆う建屋カバーと、前記建屋カバー内に冷却風を供給する冷却ファンと、前記建屋カバー内に設けられた熱交換装置と、前記冷却風の流れ方向に対して前記熱交換装置の上流側に設けられたネット保持部材と、前記ネット保持部材に保持され前記冷却風に混入した塵挨を捕捉する防塵ネットとを備えてなる建設機械において、
前記ネット保持部材は、前記冷却風が流通する開口部が形成され前記防塵ネットが当接するネット当接板と、前記ネット当接板を挟んで対面し前記防塵ネットが収容されるネット収容空間を形成する一対の側面板とを有し、
前記一対の側面板の一方の側面板には、前記ネット保持部材によって前記防塵ネットを保持するときに前記防塵ネットを前記ネット収容空間に案内するガイド部と、前記ネット収容空間に収容された前記防塵ネットを前記一対の側面板の他方の側面板に向けて押圧する押圧部とを有するガイド兼用ばね部材が設けられ、
前記他方の側面板と前記防塵ネットには、前記防塵ネットを前記ネット当接板に押付けて前記開口部を覆った位置に固定するネット固定部材が設けられていることを特徴とする建設機械。
【発明の詳細な説明】
【技術分野】
【０００１】
本発明は、例えば冷却風中に含まれる塵挨を捕捉する防塵ネットを備えた油圧ショベル等の建設機械に関する。
【背景技術】
【０００２】
一般に、建設機械を代表する油圧ショベルは、自走可能な下部走行体と、下部走行体上に旋回可能に搭載された上部旋回体とを有し、これら下部走行体と上部旋回体とにより車体が構成されている。上部旋回体の前側には作業装置が設けられ、この作業装置を用いて土砂の掘削作業等が行われる。
【０００３】
上部旋回体は、ベースとなる旋回フレームと、旋回フレーム上に搭載された原動機と、旋回フレームに設けられ原動機を含む搭載機器を覆う建屋カバーと、建屋カバー内に冷却風を供給する冷却ファンと、建屋カバー内に位置して旋回フレーム上に設けられた熱交換装置とを備えている。熱交換装置は、エンジン冷却水を冷却するラジエータ、油圧アクチュエータからの戻り油を冷却するオイルクーラ等を含んで構成されている。この熱交換装置から発生した熱が、冷却ファンによって建屋カバー内に供給された外気中に放熱されることにより熱交換が行われる。
【０００４】
ところで、油圧ショベルは、砂埃、粉塵等の塵挨が多い環境下での作業を行うことが多いため、冷却ファンによって建屋カバー内に供給される冷却風（外気）中には、多量の塵挨が混入する。この冷却風中の塵挨が熱交換装置に付着することにより、熱交換装置による冷却性能の低下や、熱交換装置の故障を招くという不具合がある。このため、冷却風の流れ方向に対して熱交換装置の上流側には、ネット保持部材が設けられ、このネット保持部材には、冷却風に混入した塵挨を捕捉する防塵ネットが着脱可能に取付けられている。この場合、防塵ネットは、付着した塵挨を除去するために定期的に清掃する必要があり、ネット保持部材に対して容易に着脱できることが望ましい。
【０００５】
これに対し、ネット保持部材と防塵ネット（フィルタ）との一方に弾性体を設け、ネット保持部材に防塵ネットを取付けるときに弾性体が変形するようにした防塵ネットの取付構造が提案されている。この従来技術では、弾性変形した弾性体の復元力（弾性力）によって、ネット保持部材のネット当接板に防塵ネットを押付ける押付力と、この押付力と直交する方向に作用しネット保持部材に防塵ネットを固定する固定力とを得ることができ、防塵ネットを着脱するときの作業性を高めるようになっている（特許文献１参照）。
【先行技術文献】
【特許文献】
【０００６】
【特許文献１】特開２００８−２０８５５１号公報
【発明の概要】
【発明が解決しようとする課題】
【０００７】
しかし、特許文献１による防塵ネットの取付構造では、ネット保持部材に保持された防塵ネットに対し、ネット保持部材のネット当接板に押付ける押付力と、ネット保持部材に固定する固定力とが、弾性体の復元力によって常に作用している。この場合、防塵ネットをネット当接板に押付ける押付力は、ネット保持部材からの防塵ネットの取外しを妨げる方向に常に作用している。この結果、清掃作業時にネット保持部材から防塵ネットを取外すときの作業性が低下してしまうという問題がある。
【０００８】
一方、防塵ネットを取外すときの作業性を考慮して弾性体の弾性力（復元力）を弱めた場合には、ネット保持部材に対して防塵ネットを固定する固定力も弱められてしまう。このため、油圧ショベルの走行時や掘削作業時に大きな振動が発生した場合には、ネット保持部材に対する防塵ネットの脱落、位置ずれ等が発生する。この結果、冷却風中に含まれる塵挨を防塵ネットによって確実に捕捉することができなくなり、熱交換装置による冷却性能の低下を招くという問題がある。
【０００９】
本発明は上述した従来技術の問題に鑑みなされたもので、本発明の目的は、防塵ネットをネット保持部材に対して取付け、取外しするときの作業性を高めることができるようにした建設機械を提供することにある。
【課題を解決するための手段】
【００１０】
本発明は、自走可能な本体と、前記本体の前側に設けられた作業装置とからなり、前記本体は、原動機を含む搭載機器を覆う建屋カバーと、前記建屋カバー内に冷却風を供給する冷却ファンと、前記建屋カバー内に設けられた熱交換装置と、前記冷却風の流れ方向に対して前記熱交換装置の上流側に設けられたネット保持部材と、前記ネット保持部材に保持され前記冷却風に混入した塵挨を捕捉する防塵ネットとを備えてなる建設機械に適用される。
【００１１】
本発明の特徴は、前記ネット保持部材は、前記冷却風が流通する開口部が形成され前記防塵ネットが当接するネット当接板と、前記ネット当接板を挟んで対面し前記防塵ネットが収容されるネット収容空間を形成する一対の側面板とを有し、前記一対の側面板の一方の側面板には、前記ネット保持部材によって前記防塵ネットを保持するときに前記防塵ネットを前記ネット収容空間に案内するガイド部材と、前記ネット収容空間に収容された前記防塵ネットを前記一対の側面板の他方の側面板に向けて押圧するばね部材とが設けられ、前記他方の側面板と前記防塵ネットには、前記防塵ネットを前記ネット当接板に押付けて前記開口部を覆った位置に固定するネット固定部材が設けられていることにある。
【発明の効果】
【００１２】
本発明によれば、防塵ネットは、ネット保持部材の一方の側面板に設けられたガイド部材によってネット収容空間へと案内され、ばね部材によってネット保持部材の他方の側面板に押付けられる。この場合、ばね部材の復元力は、防塵ネットをネット当接板に押付ける方向には作用しないので、ネット保持部材から防塵ネットを取外すときの作業性を高めることができる。一方、ネット収容空間に収容された防塵ネットは、ネット固定部材によってネット当接板に押付けられた状態で開口部を覆った位置に固定することができる。
【図面の簡単な説明】
【００１３】
【図１】本発明の実施の形態が適用された油圧ショベルを示す正面図である。
【図２】油圧ショベルの旋回フレーム上にキャブ、エンジン、熱交換装置等を取付けた状態を示す平面図である。
【図３】ネット保持部材に防塵ネットを取付けた状態を示す斜視図である。
【図４】熱交換装置の支持枠体とネット保持部材とを示す斜視図である。
【図５】防塵ネットを単体で示す斜視図である。
【図６】防塵ネットを図５中の矢示VI−VI方向から見た断面図である。
【図７】図３中のばね部材を拡大して示す斜視図である。
【図８】図３中の把手、ネット固定部材を拡大して示す斜視図である。
【図９】ネット保持部材、防塵ネット、ガイド部材、ばね部材、ネット固定部材、把手等を図３中の矢示IX−IX方向から見た一部破断の断面図である。
【図１０】防塵ネットをネット保持部材に対して取付け、取外しする状態を示す図９と同様位置から見た一部破断の断面図である。
【図１１】防塵ネットをネット保持部材に取付けるときに、防塵ネットの係合突起がガイド部材に係合する状態を示す拡大断面図である。
【図１２】防塵ネットをネット保持部材に取付けるときに、防塵ネットがばね部材によって押圧される状態を示す拡大断面図である。
【図１３】本発明の変形例によるガイド兼用ばね部材、ネット保持部材、防塵ネットを示す図３と同様位置の斜視図である。
【図１４】ネット保持部材、防塵ネット、ガイド兼用ばね部材、ネット固定部材、把手等を図１３中の矢示XIV−XIV方向から見た断面図である。
【発明を実施するための形態】
【００１４】
以下、本発明の実施の形態について、油圧ショベルに適用した場合を例に挙げ、添付図面に従って詳細に説明する。なお、実施の形態では、後述する油圧ショベル１の走行方向を前，後方向とし、油圧ショベル１の走行方向と直交する方向を左，右方向として説明する。
【００１５】
図中、油圧ショベル１は、前，後方向に自走可能なクローラ式の下部走行体２と、下部走行体２上に旋回可能に搭載された上部旋回体３と、上部旋回体３の前側に設けられた作業装置４とを含んで構成されている。下部走行体２と上部旋回体３とは、油圧ショベル１の本体（車体）を構成している。作業装置４は、上部旋回体３の前側にスイングポスト４Ａを介して左，右方向に揺動可能に取付けられている。油圧ショベル１は、下部走行体２によって作業現場を走行し、上部旋回体３を旋回させつつ作業装置４を用いて土砂の掘削作業等を行う。
【００１６】
上部旋回体３は、旋回フレーム５を有している。旋回フレーム５は、上部旋回体３のベースを構成し、下部走行体２上に旋回可能に搭載されている。図２に示すように、旋回フレーム５は、前，後方向に延びる厚肉な底板５Ａと、底板５Ａ上に立設され、左，右方向に間隔をもって前，後方向に延びた左縦板５Ｂおよび右縦板５Ｃとを備えている。底板５Ａの前端側には、ほぼ三角形状の突起部５Ｄが設けられ、この突起部５Ｄには、作業装置４のスイングポスト４Ａが揺動可能に支持されている。また、旋回フレーム５は、左縦板５Ｂの左側に間隔をもって配置され、前，後方向に延びた左サイドフレーム５Ｅと、右縦板５Ｃの右側に間隔をもって配置され、前，後方向に延びた右サイドフレーム５Ｆを有している。
【００１７】
カウンタウエイト６は、旋回フレーム５を構成する左縦板５Ｂおよび右縦板５Ｃの後部に設けられている。このカウンタウエイト６は、作業装置４との重量バランスをとる重量物として形成されている。
【００１８】
キャブ７は、旋回フレーム５の左前側に設けられている。このキャブ７は、オペレータが搭乗する運転室を画成している。キャブ７の内部には、例えばオペレータが座る運転席、走行用の操作レバー、作業用の操作レバー（いずれも図示せず）が配設されている。
【００１９】
原動機としてのエンジン８は、カウンタウエイト６の前側に位置して旋回フレーム５の後側に設けられている。エンジン８は、左，右方向に延びる横置き状態で、旋回フレーム５の左縦板５Ｂおよび右縦板５Ｃの後側に搭載されている。エンジン８の右側には油圧ポンプ９が設けられている。油圧ポンプ９は、エンジン８によって駆動されることにより作動油を加圧し、この圧油を油圧ショベル１に搭載された各種の油圧アクチュエータに向けて吐出する。
【００２０】
エンジン８の左側には、冷却ファン１０が設けられている。冷却ファン１０は、エンジン８を動力源として回転駆動されることにより外気を吸込み、この外気を冷却風として後述の建屋カバー１１内に供給する。なお、冷却ファンは、エンジン８を駆動源とするものに限らず、例えば電動ファン等を用いてもよい。
【００２１】
建屋カバー１１は、カウンタウエイト６の前側に位置して旋回フレーム５上に設けられている。建屋カバー１１の内部は機械室となり、この建屋カバー１１内には、エンジン８、油圧ポンプ９、熱交換装置１２等の搭載機器が収容されている。建屋カバー１１は、キャブ７の後側に位置して左サイドフレーム５Ｅから上方に立上がる左側面カバー１１Ａと、右サイドフレーム５Ｆから上方に立上がる右側面カバー（図示せず）と、左側面カバー１１Ａの上端と右側面カバーの上端との間を覆う上面カバー１１Ｂとを含んで構成されている。左側面カバー１１Ａは、機械室を外部に開放する開位置と機械室を閉塞する閉位置との間で開閉可能となっている。
【００２２】
熱交換装置１２は、キャブ７の後側でかつエンジン８の左側に位置して旋回フレーム５上に搭載されている。熱交換装置１２は、冷却ファン１０による冷却風の流れ方向（図２中の矢示Ａ方向）において冷却ファン１０よりも上流側に位置して建屋カバー１１内（機械室）に配置されている。熱交換装置１２は、支持枠体１３、ラジエータ１４、オイルクーラ１５等により構成されている。
【００２３】
支持枠体１３は、熱交換装置１２の外枠を構成している。支持枠体１３は、ラジエータ１４、オイルクーラ１５等を取囲んで支持する枠構造体として形成され、図３に示すように、旋回フレーム５上に取付けられている。支持枠体１３は、ラジエータ１４、オイルクーラ１５等を前，後方向から挟む前枠１３Ａ、後枠１３Ｂと、前枠１３Ａおよび後枠１３Ｂの上側部位を連結する上枠１３Ｃと、前枠１３Ａおよび後枠１３Ｂの下側部位を連結する下枠１３Ｄとを含んで構成されている。そして、支持枠体１３の前枠１３Ａおよび後枠１３Ｂの下端は、ボルト等を用いて旋回フレーム５に取付けられている。ここで、支持枠体１３のうち冷却風の流れ方向に対して上流側となる部位には、後述するネット保持部材１６が一体形成されている。
【００２４】
ラジエータ１４は、支持枠体１３内に設けられている。ラジエータ１４は、エンジン８のウォータジャケット（図示せず）に接続され、このウォータジャケットを流れるエンジン冷却水を冷却する。オイルクーラ１５は、ラジエータ１４と前，後方向に隣接して支持枠体１３内に設けられている。オイルクーラ１５は、例えばコントロールバルブおよび作動油タンク（いずれも図示せず）に接続され、油圧アクチュエータから作動油タンクに還流する作動油を冷却する。
【００２５】
ネット保持部材１６は、冷却風の流れ方向に対して熱交換装置１２の上流側に設けられている。即ち、ネット保持部材１６は、熱交換装置１２の支持枠体１３のうち、冷却風の流れ方向に対してラジエータ１４、オイルクーラ１５よりも上流側となる部位（支持枠体１３の左端側）に設けられ、後述の防塵ネット２５を保持している。図４および図１０に示すように、ネット保持部材１６は、ネット当接板１７と、前側面板１８と、後側面板１９と、下支持板２０、ネット収容空間２１とを含んで構成されている。
【００２６】
ネット保持部材１６のネット当接板１７は、支持枠体１３の左端側に配置され、防塵ネット２５が当接する四角形の枠体として形成されている。図４に示すように、ネット当接板１７は、上，下方向に延びる一対の側面板である前当接面１７Ａおよび後当接面１７Ｂと、前，後の当接面１７Ａ，１７Ｂの上端を前，後方向に延びる上当接面１７Ｃと、前，後の当接面１７Ａ，１７Ｂの下端を前，後方向に延びる狭幅な下当接面１７Ｄとにより構成されている。前当接面１７Ａ，後当接面１７Ｂは、上，下方向に延びる細長い長方形の板体からなり、溶接等の手段を用いて前枠１３Ａ，後枠１３Ｂに固定されている。
【００２７】
これにより、ネット当接板１７は、狭幅な額縁状の枠体として形成され、ネット当接板１７の中央部には、前当接面１７Ａ，後当接面１７Ｂ，上当接面１７Ｃ，下当接面１７Ｄによって囲まれた四角形の角孔からなる開口部１７Ｅが形成されている。従って、冷却ファン１０によって発生した冷却風は、ネット当接板１７の開口部１７Ｅを通じて熱交換装置１２に供給される。
【００２８】
ネット保持部材１６の一方の側面板としての前側面板１８は、支持枠体１３を構成する前枠１３Ａの左端側に設けられている。ネット保持部材１６の他方の側面板としての後側面板１９は、支持枠体１３を構成する後枠１３Ｂの左端側に設けられている。これら前側面板１８と後側面板１９とは、前，後方向で間隔をもって対面し、前側面板１８と後側面板１９との間には、防塵ネット２５を収容するネット収容空間２１が形成されている。前側面板１８のうちネット収容空間２１側の面には、後述するガイド部材２２およびばね部材２４が設けられている。また、後側面板１９のうちネット収容空間２１とは反対側の面には、平板状のねじ座１９Ａが溶接等の手段を用いて固定されている。
【００２９】
ネット保持部材１６の下支持板２０は、ネット当接板１７の下当接面１７Ｄに固定されている。即ち、下支持板２０は、支持枠体１３の前枠１３Ａと後枠１３Ｂとの間を前，後方向に延びる細長い長方形の板体からなり、下当接面１７Ｄから冷却風の流れ方向の上流側へと突出している。下支持板２０は、ネット収容空間２１内に収容された防塵ネット２５を下側から支持する。
【００３０】
２個のガイド部材２２は、ネット保持部材１６を構成する前側面板１８のうち後側面板１９と対向する面に、上，下方向に離間して設けられている。２個のガイド部材２２は、ネット保持部材１６によって防塵ネット２５を保持するときに、防塵ネット２５の後述する係合突起２６Ｆが係合することにより、防塵ネット２５を前側面板１８と後側面板１９との間に形成されたネット収容空間２１に案内する。
【００３１】
図１１に示すように、２個のガイド部材２２は、Ｌ字型に屈曲した板体によって形成され、前側面板１８に溶接等の手段を用いて固定された取付板部２２Ａと、取付板部２２Ａの先端から屈曲し、ネット当接板１７から離れる方向に延びたガイド板部２２Ｂとを有している。取付板部２２Ａは、ネット当接板１７の前当接面１７Ａと左，右方向で対面し、前当接面１７Ａとの間に隙間２３を形成している。取付板部２２Ａと前当接面１７Ａとの間の隙間２３内には、防塵ネット２５の係合突起２６Ｆが係合する構成となっている。ガイド板部２２Ｂは前側面板１８と対面し、ガイド板部２２Ｂと前側面板１８との間隔は、ガイド板部２２Ｂの基端２２Ｂ１から先端２２Ｂ２に向けて徐々に大きくなっている。即ち、ガイド板部２２Ｂは、前側面板１８に対して傾斜した傾斜面となり、この傾斜面に沿って防塵ネット２５の係合突起２６Ｆを隙間２３に向けて案内する構成となっている。
【００３２】
ばね部材２４は、２個のガイド部材２２間に位置して前側面板１８のうち後側面板１９と対向する面に設けられている。ばね部材２４は、ネット収容空間２１内に収容された防塵ネット２５を、ネット保持部材１６の後側面板１９に向けて押圧する。図７および図１１に示すように、ばね部材２４は、ばね鋼等の弾性を有する板体を用いて形成され、長さ方向の中央部に位置する取付板部２４Ａと、長さ方向の両側に位置する一対の弾性板部２４Ｂ，２４Ｃとを有している。取付板部２４Ａは、２個のボルト２４Ｄを用いて前側面板１８に取付けられている。
【００３３】
弾性板部２４Ｂ，２４Ｃは、取付板部２４Ａから前側面板１８に対して傾斜した状態で後側（後側面板１９側）に突出している。弾性板部２４Ｂ，２４Ｃの突出端は、前側面板１８に対して平行な当接面２４Ｂ１，２４Ｃ１となって防塵ネット２５のネット枠体２６に当接する。そして、ばね部材２４は、弾性板部２４Ｂ，２４Ｃの復元力（弾性力）により、ネット収容空間２１内に収容された防塵ネット２５に対し、図９中の矢示Ｂ方向への押付力を付与し、防塵ネット２５を後側面板１９に向けて押圧する。
【００３４】
防塵ネット２５は、ネット保持部材１６に保持された状態で、冷却風の流れ方向に対して熱交換装置１２の上流側に設けられている。防塵ネット２５は、建屋カバー１１内に供給される冷却風に混入した塵挨を捕捉し、冷却風を清浄化する。図５および図６に示すように、防塵ネット２５は、ネット保持部材１６によって保持されるネット枠体２６と、ネット枠体２６に取付けられたフィルタ２７とを含んで構成されている。
【００３５】
防塵ネット２５の外枠を構成するネット枠体２６は、ネット当接板１７に形成された開口部１７Ｅと相似形をなす四角形の枠体として形成されている。即ち、ネット枠体２６は、ネット保持部材１６の前側面板１８と対面しつつ上，下方向に延びる一側枠としてのネット前枠２６Ａと、ネット保持部材１６の後側面板１９と対面しつつ上，下方向に延びる他側枠としてのネット後枠２６Ｂと、ネット前枠２６Ａおよびネット後枠２６Ｂの上端間を連結して前，後方向に延びるネット上枠２６Ｃと、ネット前枠２６Ａおよびネット後枠２６Ｂの下端間を連結して前，後方向に延びるネット下枠２６Ｄとにより額縁状に形成されている。ネット枠体２６の中央部には、冷却風が流通する四角形の通気口２６Ｅが形成されている。
【００３６】
ここで、図９に示すように、防塵ネット２５がネット保持部材１６に保持された状態で、ネット枠体２６のネット前枠２６Ａは、ばね部材２４によって押圧される被押圧面となっている。これにより、ネット保持部材１６の前側面板１８とネット前枠２６Ａとの間には、ばね部材２４の取付スペースに対応する一定の隙間２８が形成されている。そして、ネット前枠２６Ａのうちネット当接板１７側に位置する端部には、係合突起２６Ｆが設けられ、ネット後枠２６Ｂのうちネット当接板１７（後当接面１７Ｂ）側に位置する端部には、面取り部２６Ｇが設けられている。
【００３７】
係合突起２６Ｆは、ネット枠体２６のうちばね部材２４によって押圧される被押圧面であるネット前枠２６Ａに設けられている。この係合突起２６Ｆは、ネット前枠２６Ａのネット当接板１７側の端部に設けられ、ネット前枠２６Ａと前側面板１８との間に形成された隙間２８に張出す板体として形成されている。即ち、係合突起２６Ｆは、防塵ネット２５がネット保持部材１６に保持された状態（図９の状態）で、ネット当接板１７の前当接面１７Ａに当接する平板状に形成され、ネット前枠２６Ａの全長に亘って上，下方向に延在している。ここで、図１１に示すように、係合突起２６Ｆの板厚Ｌ１は、ガイド部材２２の取付板部２２Ａとネット当接板１７の前当接面１７Ａとの間に形成された隙間２３の左，右方向の長さ寸法（隙間寸法）Ｌ２よりも小さく設定されている（Ｌ１＜Ｌ２）。これにより、係合突起２６Ｆは、防塵ネット２５をネット収容空間２１内に挿入するときに、支持枠体１３の前枠１３Ａに設けられた２個のガイド部材２２に係合することにより、隙間２３内へと案内される。
【００３８】
一方、図９に示すように、前側面板１８にばね部材２４が設けられることにより、前側面板１８とネット前枠２６Ａとの間には隙間２８が形成される。この隙間２８の前，後方向の長さ寸法Ｌ３が、ネット当接板１７を構成する前当接面１７Ａの前，後方向の長さ寸法Ｌ４よりも大きく（Ｌ３＞Ｌ４）なると、ネット当接板１７に形成された開口部１７Ｅの一部が、ネット枠体２６のネット前枠２６Ａからはみ出す虞がある。しかし、ネット前枠２６Ａには、その全長に亘って平板状の係合突起２６Ｆが設けられ、この係合突起２６Ｆはネット当接板１７の前当接面１７Ａに当接する。これにより、ネット枠体２６のネット前枠２６Ａとネット当接板１７の開口部１７Ｅとの間が、係合突起２６Ｆによってシールされる。
【００３９】
面取り部２６Ｇは、ネット枠体２６のうち後側面板１９と対面するネット後枠２６Ｂに設けられ、ネット前枠２６Ａに向かって傾斜している。この面取り部２６Ｇは、ネット後枠２６Ｂのうちネット当接板１７側の端部を、前側（ネット前枠２６Ａ側）に向けて斜めに折曲げることにより、ネット前枠２６Ａとネット後枠２６Ｂとの前，後方向の間隔が、ネット当接板１７に近づくほど小さくなる傾斜面として形成されている。面取り部２６Ｇは、ネット後枠２６Ｂの全長に亘って設けられ、ネット後枠２６Ｂに対する面取り部２６Ｇの傾斜角度は、例えば４５°程度に設定されている。これにより、防塵ネット２５をネット収容空間２１内に挿入するときに、面取り部２６Ｇが後側面板１９の端縁部１９Ｂに摺接し、ネット後枠２６Ｂがネット当接板１７へと導かれる。
【００４０】
フィルタ２７は、ネット枠体２６の通気口２６Ｅを覆った状態で、ネット枠体２６に着脱可能に取付けられている。フィルタ２７は、建屋カバー１１内に供給される冷却風がネット枠体２６の通気口２６Ｅを通過するときに、この冷却風に混入した塵挨を捕捉することにより、冷却風を清浄化する。防塵ネット２５は、フィルタ２７によって捕捉した多量の塵挨を除去するため、定期的な清掃等のメンテナンス作業が行われる。
【００４１】
把手２９は、防塵ネット２５のネット枠体２６に設けられ、防塵ネット２５の一部を構成している。図５および図６に示すように、把手２９は、棒状体を折曲げることにより形成され、防塵ネット２５をネット保持部材１６に対して着脱するときに作業者によって把持される。この把手２９は、ネット枠体２６に取付けられた上，下一対の取付部２９Ａと、これら一対の取付部２９Ａの先端側を連結するＵ字状の把持部２９Ｂとを有している。一対の取付部２９Ａは、その基端側がネット枠体２６のネット後枠２６Ｂに溶接等によって固定され、先端側がネット枠体２６の外部へと突出している。把持部２９Ｂとネット後枠２６Ｂとの間には、作業者の手を挿入するための空間が確保されている。
【００４２】
ここで、図９に示すように、防塵ネット２５をネット保持部材１６のネット収容空間２１に挿入したときには、把手２９を構成する一対の取付部２９Ａが、後側面板１９の端縁部１９Ｂに当接する。これにより、防塵ネット２５のネット枠体２６が、ネット当接板１７に強く当接するのを抑え、防塵ネット２５の耐久性を高めることができる。また、把持部２９Ｂには板状のねじ座２９Ｃが固定され、このねじ座２９Ｃには、後述の鉤部材３１が取付けられている。
【００４３】
ネット固定部材３０は、ネット保持部材１６の後側面板１９と防塵ネット２５とに設けられている。図９に示すように、ネット固定部材３０は、ネット収容空間２１に収容された防塵ネット２５を、ネット当接板１７に押付けて開口部１７Ｅを覆った位置に固定する。ここで、ネット固定部材３０は、防塵ネット２５の把手２９に設けられた鉤部材３１と、後側面板１９に設けられた掛止め部材３２とにより構成されている。
【００４４】
鉤部材３１は、Ｊ字状に折曲げられた板体によって形成され、把手２９のねじ座２９Ｃにボルト３１Ａを用いて取付けられている。掛止め部材３２は、後側面板１９のねじ座１９Ａにボルト３２Ａを用いて取付けられている。掛止め部材３２は、鉤部材３１に掛止めされる掛止め具３２Ｂと、掛止め具３２Ｂを鉤部材３１に対して係合、離脱させる操作具３２Ｃとを有している。
【００４５】
図９に示すように、防塵ネット２５がネット収容空間２１内に収容された状態で、掛止め部材３２の操作具３２Ｃによって掛止め具３２Ｂを操作し、掛止め具３２Ｂを把手２９に設けられた鉤部材３１に係合させて掛止めする。これにより、防塵ネット２５は、ネット当接板１７に押付けられた状態で開口部１７Ｅを覆った位置に固定される。一方、図１０に示すように、掛止め部材３２の操作具３２Ｃによって掛止め具３２Ｂを操作し、掛止め具３２Ｂを鉤部材３１から離脱させることにより、防塵ネット２５がネット収容空間２１から取外される。ここで、掛止め具３２Ｂを鉤部材３１から離脱させたときには、ネット固定部材３０が防塵ネット２５をネット当接板１７に押付ける力は解除され、防塵ネット２５をネット収容空間２１から容易に取外すことができる構成となっている。
【００４６】
本実施の形態による油圧ショベル１は上述の如き構成を有するもので、次に、油圧ショベル１の動作について説明する。
【００４７】
オペレータは、キャブ７に搭乗して運転席に座る。この状態で、エンジン８を始動させて走行用の操作レバーを操作することにより、下部走行体２によって油圧ショベル１を前進または後退させることができる。また、オペレータが作業用の操作レバーを操作することにより、上部旋回体３を旋回させつつ作業装置４を用いて土砂の掘削作業等を行うことができる。
【００４８】
エンジン８の作動時には冷却ファン１０が回転し、防塵ネット２５を通じて建屋カバー１１内に外気が導入され、この外気が冷却風となって図２中の矢示Ａ方向に流通することにより熱交換装置１２に供給される。熱交換装置１２は、冷却風との間で熱交換を行うことにより、ラジエータ１４によってエンジン冷却水を冷却し、オイルクーラ１５によって作動油を冷却する。
【００４９】
このとき、冷却風に混入した塵挨は、防塵ネット２５のフィルタ２７によって捕捉される。これにより、冷却風から塵挨を分離し、清浄化された冷却風を熱交換装置１２に供給することができる。この結果、熱交換装置１２に粉塵が付着して目詰まりするのを抑えることができ、熱交換装置１２による冷却性能を長期に亘って良好に維持することができる。
【００５０】
ここで、防塵ネット２５のフィルタ２７に付着した多量の塵挨を除去するために、防塵ネット２５は定期的に清掃等のメンテナンス作業を行う必要があり、以下、防塵ネット２５に対するメンテナンス作業について説明する。
【００５１】
防塵ネット２５を取外す前段階では、図９に示すように、防塵ネット２５は、前側面板１８に設けられたばね部材２４の復元力によって後側面板１９に押付けられた状態で、ネット固定部材３０により、ネット収容空間２１内でネット当接板１７に押付けられた状態で開口部１７Ｅを覆った位置に固定されている。
【００５２】
次に、防塵ネット２５を取外す場合には、図１０に示すように、ネット固定部材構３０を構成する掛止め部材３２の操作具３２Ｃを操作し、防塵ネット２５の把手２９に設けられた鉤部材３１から掛止め具３２Ｂを離脱させる。これにより、ネット固定部材３０が防塵ネット２５をネット当接板１７に押付ける力を解除することができる。この状態で、把手２９を矢示Ｆ１方向に引っ張ることにより、防塵ネット２５をネット保持部材１６のネット収容空間２１から取外すことができる。
【００５３】
この場合、ばね部材２４の復元力（弾性力）は、防塵ネット２５を後側面板１９に押付ける方向にのみ作用しており、防塵ネット２５をネット当接板１７に押付ける力は作用しない。従って、鉤部材３１から掛止め具３２Ｂを離脱させた状態で、把手２９を矢示Ｆ１方向に引っ張るだけで、防塵ネット２５をネット収容空間２１から容易に取外すことができる。この結果、取外した防塵ネット２５に対し、フィルタ２７に付着した塵挨を除去するメンテナンス作業を迅速に行うことができ、その作業性を高めることができる。
【００５４】
次に、メンテナンス作業が終了した防塵ネット２５を、ネット保持部材１６によって保持する作業について説明する。
【００５５】
防塵ネット２５をネット保持部材１６によって保持する場合には、ネット保持部材１６のネット収容空間２１内に防塵ネット２５を挿入する。このとき、図１０中に矢示Ｆ２で示すように、ネット枠体２６のネット前枠２６Ａに設けられた係合突起２６Ｆを、前側面板１８に設けられた２個のガイド部材２２に係合させる。ここで、ガイド部材２２のガイド板部２２Ｂは、前側面板１８に対して傾斜した傾斜面となっている。このため、係合突起２６Ｆは、傾斜面となったガイド板部２２Ｂに沿ってネット当接板１７側へと移動し、ガイド部材２２の取付板部２２Ａとネット当接板１７との間の隙間２３へと案内される。
【００５６】
そして、係合突起２６Ｆが、ガイド部材２２とネット当接板１７との間の隙間２３内に挿入されることにより、防塵ネット２５を、前側面板１８と後側面板１９との間に形成されたネット収容空間２１内に円滑に挿入することができる。このとき、図１１および図１２に示すように、前側面板１８に設けられたばね部材２４の弾性板部２４Ｂ，２４Ｃにネット枠体２６のネット前枠２６Ａが当接し、ばね部材２４が弾性変形する。これにより、ばね部材２４は、図１２中の矢示Ｂ方向への復元力を発生し、防塵ネット２５を後側面板１９に向けて押圧する。
【００５７】
そして、ばね部材２４の復元力に抗して、係合突起２６Ｆを隙間２３の奥部（前側面板１８側）へと挿入しつつ、把手２９をネット当接板１７側へと押込む。これにより、図９に示すように、ネット枠体２６のネット後枠２６Ｂを、後側面板１９に当接させることができ、防塵ネット２５をネット収容空間２１内に収容することができる。
【００５８】
この場合、ネット枠体２６のネット後枠２６Ｂには、ネット前枠２６Ａに向かって傾斜した傾斜面となり、ネット後枠２６Ｂに対して４５°程度傾斜した面取り部２６Ｇが形成されている。これにより、防塵ネット２５をネット収容空間２１内に挿入するときに、面取り部２６Ｇが後側面板１９の端縁部１９Ｂに摺接することにより、ネット後枠２６Ｂを円滑にネット当接板１７へと導くことができる。このようにして、ネット後枠２６Ｂがネット当接板１７に当接することにより、防塵ネット２５をネット収容空間２１に収容することができる。
【００５９】
そして、防塵ネット２５がネット収容空間２１に収容されたときには、防塵ネット２５に設けられた把手２９の取付部２９Ａが、後側面板１９の端縁部１９Ｂに当接する。これにより、防塵ネット２５のネット枠体２６が、ネット当接板１７に強く当接するのを抑え、防塵ネット２５の耐久性を高めることができる。
【００６０】
このようにして、ネット収容空間２１内に収容された防塵ネット２５は、ネット保持部材１６の下支持板２０によって下側から支持された状態で、ばね部材２４の復元力によって後側面板１９に適度な力で押付けられている。これにより、防塵ネット２５を、ネット当接板１７の開口部１７Ｅを覆った位置に安定した状態で保持することができる。この場合、前側面板１８にばね部材２４が設けられることにより、前側面板１８とネット前枠２６Ａとの間には隙間２８が形成されている。このため、隙間２８の前，後方向の長さ寸法Ｌ３が、ネット当接板１７を構成する前当接面１７Ａの前，後方向の長さ寸法Ｌ４よりも大きくなると、ネット当接板１７の開口部１７Ｅの一部が、ネット枠体２６のネット前枠２６Ａからはみ出す虞がある。これに対し、本実施の形態では、ネット前枠２６Ａの全長に亘って平板状の係合突起２６Ｆが設けられ、この係合突起２６Ｆがネット当接板１７の前当接面１７Ａに当接している。これにより、ネット前枠２６Ａとネット当接板１７の開口部１７Ｅとの間を、係合突起２６Ｆによってシールすることができ、塵挨を含んだ冷却風が開口部１７Ｅを通じて建屋カバー１１内に流れるのを防止することができる。
【００６１】
そして、防塵ネット２５がネット収容空間２１内に収容された状態で、掛止め部材３２の操作具３２Ｃによって掛止め具３２Ｂを操作し、把手２９に設けられた鉤部材３１に掛止め具３２Ｂを係合させて掛止めする。これにより、防塵ネット２５を、ネット当接板１７の開口部１７Ｅを覆った位置に固定することができる。
【００６２】
このようにして、防塵ネット２５は、ばね部材２４の復元力によって後側面板１９に押付けられた状態で、ネット固定部材３０によって、ネット当接板１７に押付けられた状態で開口部１７Ｅを覆った位置に固定されている。この場合、ばね部材２４の復元力は、防塵ネット２５を後側面板１９に押付ける方向にのみ作用し、防塵ネット２５をネット当接板１７に押付ける方向には作用しない。この結果、防塵ネット２５に対するメンテナンス時には、掛止め部材３２の操作具３２Ｃを操作し、防塵ネット２５の把手２９に設けられた鉤部材３１から掛止め具３２Ｂを離脱させることにより、防塵ネット２５をネット当接板１７に押付ける力を解除することができる。従って、ネット固定部材３０の鉤部材３１から掛止め具３２Ｂを離脱させるだけで、防塵ネット２５をネット収容空間２１から容易に取外すことができ、メンテナンスの作業性を高めることができる。
【００６３】
しかも、ネット固定部材３０を操作するだけで防塵ネット２５を容易に取外すことができるので、この取外し作業を考慮してばね部材２４の復元力を弱める必要がない。このため、防塵ネット２５を、ばね部材２４の適度な復元力によって後側面板１９に押付けることができる。この結果、油圧ショベル１の走行時や掘削作業時に大きな振動が発生したとしても、防塵ネット２５がネット保持部材１６から脱落したり、位置ずれするのを抑えることができる。この結果、冷却風中に含まれる塵挨を防塵ネット２５によって確実に捕捉することにより、清浄な冷却風を建屋カバー１１内に供給することができ、熱交換装置１２による冷却性能を良好に維持することができる。
【００６４】
かくして、本発明によれば、油圧ショベル１の上部旋回体３は、旋回フレーム５と、旋回フレーム５に設けられエンジン８を含む搭載機器を覆う建屋カバー１１と、建屋カバー１１内に冷却風を供給する冷却ファン１０と、建屋カバー１１内に位置して旋回フレーム５に設けられた熱交換装置１２と、冷却風の流れ方向に対して熱交換装置１２の上流側に設けられたネット保持部材１６と、ネット保持部材１６に保持され冷却風に混入した塵挨を捕捉する防塵ネット２５とを備えている。
【００６５】
そして、ネット保持部材１６は、冷却風が流通する開口部１７Ｅが形成され防塵ネット２５が当接するネット当接板１７と、ネット当接板１７を挟んで対面し防塵ネット２５が収容されるネット収容空間２１を形成する一対の前側面板１８および後側面板１９とを有し、前側面板１８には、ネット保持部材１６によって防塵ネット２５を保持するときに防塵ネット２５をネット収容空間２１に案内するガイド部材２２と、ネット収容空間２１に収容された防塵ネット２５を後側面板１９に向けて押圧するばね部材２４とが設けられ、後側面板１９と防塵ネット２５には、防塵ネット２５をネット当接板１７に押付けて開口部１７Ｅを覆った位置に固定するネット固定部材３０が設けられている。
【００６６】
この構成によれば、防塵ネット２５は、前側面板１８に設けられたガイド部材２２によってネット収容空間２１へと案内され、ばね部材２４によって後側面板１９に押付けられる。この場合、ばね部材２４の復元力は、防塵ネット２５をネット当接板１７に押付ける方向には作用しないので、ネット収容空間２１から防塵ネット２５を取外すときの作業性を高めることができる。一方、ネット収容空間２１に収容された防塵ネット２５は、ネット固定部材３０によってネット当接板１７に押付けて開口部１７Ｅを覆った位置に固定することができる。このため、ネット固定部材３０の鉤部材３１から掛止め具３２Ｂを離脱させ、防塵ネット２５をネット当接板１７に押付ける力を解除することにより、防塵ネット２５をネット収容空間２１から容易に取外すことができ、メンテナンスの作業性を高めることができる。
【００６７】
本発明によれば、防塵ネット２５は、ネット保持部材１６によって保持されるネット枠体２６と、ネット枠体２６に取付けられたフィルタ２７とを含んで構成され、ネット枠体２６には、防塵ネット２５をネット収容空間２１に挿入するときにガイド部材２２に係合する係合突起２６Ｆが設けられている。この構成によれば、ネット枠体２６に設けられた係合突起２６Ｆをガイド部材２２に係合させることにより、防塵ネット２５をネット収容空間２１へと案内することができる。
【００６８】
本発明によれば、係合突起２６Ｆは、ネット枠体２６のうちばね部材２４によって押圧されるネット前枠２６Ａに設けられ、ネット前枠２６Ａと前側面板１８との間に形成された隙間２３に張出すことにより、ネット当接板１７の開口部１７Ｅとネット前枠２６Ａとの間をシールする板体として形成されている。この構成によれば、板体として形成された係合突起２６Ｆは、ネット前枠２６Ａと前側面板１８との間に形成された隙間２３に張出した状態でネット当接板１７に当接する。これにより、ネット前枠２６Ａとネット当接板１７の開口部１７Ｅとの間を、係合突起２６Ｆによってシールすることができ、塵挨を含んだ冷却風が開口部１７Ｅを通じて建屋カバー１１内に流れるのを抑えることができる。
【００６９】
本発明によれば、ネット固定部材３０は、防塵ネット２５に設けられた鉤部材３１と、後側面板１９に設けられ、鉤部材３１に掛止めされることにより防塵ネット２５をネット保持部材１６に固定する掛止め具３２Ｂ、および掛止め具３２Ｂを鉤部材３１に対して係合、離脱させる操作具３２Ｃを有する掛止め部材３２とにより構成されている。この構成によれば、後側面板１９に設けられた掛止め部材３２の掛止め具３２Ｂを、防塵ネット２５に設けられた鉤部材３１に係合させることにより、防塵ネット２５をネット保持部材１６に固定することができる。また、掛止め部材３２の掛止め具３２Ｂを鉤部材３１から離脱させることにより、防塵ネット２５をネット保持部材１６から取外すことができる。
【００７０】
本発明によれば、防塵ネット２５には、防塵ネット２５をネット保持部材１６に対して着脱するときに把持される把手２９が設けられ、ネット固定部材３０の鉤部材３１は、把手２９に設けられている。この構成によれば、防塵ネット２５に一体に設けられた把手２９を利用して鉤部材３１を取付けることができる。
【００７１】
本発明によれば、把手２９は、防塵ネット２５に取付けられ防塵ネット２５の外部に突出した取付部２９Ａと、取付部２９Ａに接続された把持部２９Ｂとを有し、把手２９の取付部２９Ａは、防塵ネット２５がネット保持部材１６のネット収容空間２１に収容されたときに後側面板１９の端縁部１９Ｂに当接する構成としている。この構成によれば、防塵ネット２５がネット収容空間２１内に収容されたときには、把手２９の取付部２９Ａが後側面板１９の端縁部１９Ｂに当接する。これにより、防塵ネット２５のネット枠体２６が、ネット当接板１７に強く当接するのを抑え、防塵ネット２５の耐久性を延ばすことができる。
【００７２】
本発明によれば、ネット枠体２６のうち後側面板１９と対面するネット後枠２６Ｂには、ネット前枠２６Ａに向かって傾斜した傾斜面として形成され、防塵ネット２５をネット収容空間２１に挿入するときに後側面板１９の端縁部１９Ｂに摺接する面取り部２６Ｇが設けられている。この構成によれば、防塵ネット２５をネット収容空間２１に挿入するときに、面取り部２６Ｇが後側面板１９の端縁部１９Ｂに摺接することにより、ネット後枠２６Ｂをネット当接板１７へと導くことができる。
【００７３】
なお、実施の形態では、ネット保持部材１６の前側面板１８に、２個のガイド部材２２と、このガイド部材２２とは別部材からなるばね部材２４とを設ける構成を例示している。しかし、本発明はこれに限るものではなく、例えば図１３および図１４に示す変形例のように、ネット保持部材１６の前側面板１８に、ガイド兼用ばね部材３３を設ける構成としてもよい。
【００７４】
ここで、ガイド兼用ばね部材３３は、実施の形態によるばね部材２４と同様に、長さ方向の中央部に位置する取付板部３３Ａと、長さ方向の両側に位置する一対の弾性板部３３Ｂ，３３Ｃとを有し、取付板部３３Ａはボルト３３Ｄを用いて前側面板１８に取付けられている。一対の弾性板部３３Ｂ，３３Ｃのネット当接板１７側の端縁部は、防塵ネット２５の係合突起２６Ｆが係合するガイド部３３Ｅを構成している。従って、防塵ネット２５の係合突起２６Ｆがガイド部３３Ｅに係合することにより、防塵ネット２５はネット収容空間２１へと案内される。一対の弾性板部３３Ｂ，３３Ｃは、防塵ネット２５を後側面板１９に向けて押圧する押圧部を構成している。従って、ネット収容空間２１に収容された防塵ネット２５に一対の弾性板部３３Ｂ，３３Ｃの復元力が作用することにより、防塵ネット２５が後側面板１９に向けて適度な力で押圧される。一方、後側面板１９と防塵ネット２５とには、実施の形態と同様なネット固定部材３０が設けられている。
【００７５】
このように、防塵ネット２５をネット収容空間２１へと案内するガイド部３３Ｅと、防塵ネット２５を後側面板１９に向けて押圧する押圧部としての一対の弾性板部３３Ｂ，３３Ｃとを有する１個のガイド兼用ばね部材３３を用いることにより、部品点数を削減することができ、コストの削減に寄与することができる。
【００７６】
また、実施の形態では、熱交換装置１２を構成する支持枠体１３のうち、冷却風の流れ方向に対してラジエータ１４、オイルクーラ１５よりも上流側となる部位に、ネット保持部材１６を設けた場合を例示している。しかし、本発明はこれに限らず、例えば熱交換装置１２の支持枠体１３とは別部材からなるネット保持部材を形成し、このネット保持部材を、冷却風の流れ方向に対して支持枠体１３よりも上流側に配置する構成としてもよい。
【００７７】
また、実施の形態では、ネット保持部材１６の前側面板１８にガイド部材２２とばね部材２４を設け、後側面板１９と防塵ネット２５にネット固定部材３０を設けた場合を例示している。しかし、本発明はこれに限らず、例えば後側面板１９にガイド部材２２とばね部材２４を設け、前側面板１８と防塵ネット２５にネット固定部材３０を設ける構成としてもよい。
【００７８】
さらに、実施の形態では、クローラ式の下部走行体２を備えた油圧ショベル１を例に挙げて説明した。しかし、本発明はこれに限らず、ホイール式の下部走行体を備えた油圧ショベルに適用してもよい。
【符号の説明】
【００７９】
１  油圧ショベル（建設機械）
２  下部走行体（本体）
３  上部旋回体（本体）
４  作業装置
５  旋回フレーム
８  エンジン（原動機）
１０  冷却ファン
１１  建屋カバー
１２  熱交換装置
１６  ネット保持部材
１７  ネット当接板
１７Ｅ  開口部
１８  前側面板（一方の側面板）
１９  後側面板（他方の側面板）
１９Ｂ  端縁部
２１  ネット収容空間
２２  ガイド部材
２４  ばね部材
２５  防塵ネット
２６  ネット枠体
２６Ａ  ネット前枠（一側枠）
２６Ｂ  ネット後枠（他側枠）
２６Ｆ  係合突起
２６Ｇ  面取り部
２７  フィルタ
２９  把手
３０  ネット固定部材
３１  鉤部材
３２  掛止め部材
３２Ｂ  掛止め具
３２Ｃ  操作具
３３  ガイド兼用ばね部材
３３Ｂ，３３Ｃ  弾性板部（押圧部）
３３Ｅ  ガイド部
【図１】
2020147908.tif 000003
【図２】
2020147908.tif 000004
【図３】
2020147908.tif 000005
【図４】
2020147908.tif 000006
【図５】
2020147908.tif 000007
【図６】
2020147908.tif 000008
【図７】
2020147908.tif 000009
【図８】
2020147908.tif 000010
【図９】
2020147908.tif 000011
【図１０】
2020147908.tif 000012
【図１１】
2020147908.tif 000013
【図１２】
2020147908.tif 000014
【図１３】
2020147908.tif 000015
【図１４】
2020147908.tif 000016